(57)【要約】  【課題】  通常のハンカチとしての使用の他に、細長く折り畳んで手首に巻き付け、リストバンドとしても使用できるハンカチを提供する。  【解決手段】  ハンカチ本体１は、広げた状態でほぼ正方形で、通常のハンカチ形状であり、生地はタオル織の綿製である。ハンカチ本体１の縁辺の１箇所には、延出部２が付いている。ハンカチ本体１は、延出部２の付いた部分４を最外層にして、細長く折り畳める。延出部２と、最外層となる部分４とには、凹凸嵌合形式の止め具５が付いている。止め具５の凹体５Ａは１個で、延出部２に付いている。止め具５の凸体５Ｂは３個で、部分４に縦方向に並んで付いている。このハンカチは、リストバンド様に手首に巻き付け、手首の太さに応じて、結合させる止め具を選択して固定する。  【選択図】  図１
0003137223.tif 000002
【実用新案登録請求の範囲】
【請求項１】
ほぼ正方形のハンカチ本体と、凹凸嵌合形式の一対の止め具とからなり、ハンカチ本体の縁辺の１箇所に延出部を形成し、この延出部に、止め具の内の、１個からなる片体を取り付けると共に、止め具の内の、複数個からなる他体を、ハンカチ本体の延出部が形成された部分に、縦方向に並べて取り付け、このハンカチ本体を、延出部の付いた部分が最外層となるように、細長く折り畳んで、これを手首に巻き付け、止め具を互に結合させて固定し、リストバンドとして使用できるようにしたハンカチ。
【請求項２】
止め具は、片体を１個とし、他体を３個以上とした、請求項１記載のハンカチ。
【考案の詳細な説明】
【技術分野】
【０００１】
この考案は、通常のハンカチとして使用できる他、手首に巻き付けて、リストバンドとしても使用できるハンカチに関する。
【背景技術】
【０００２】
従来、ハンカチは、広げると、ほぼ正方形の単なる布で、適当に折り畳んで汗拭きなどとして使用される。また、リストバンドは、細い筒型形状に伸縮編みされたもので、テニスなどのスポーツの際に、手首に嵌めて用いられる。更に、手首に巻き付けて使用できるハンカチは、従来すでに提案されている。(特許文献１参照)
【０００３】
【特許文献１】登録実用新案第３０４８７７９号公報
【考案の開示】
【考案が解決しようとする課題】
【０００４】
ところが、ハンカチは、使用状態での支持機能が無いため、汗拭きとして使用した後は、ポケットなどに収納するか、あるいは、頻繁に汗を拭く必要のある時には、常時、手に持っていなければならないという不便がある。更に、従来のハンカチは、ハンカチとしての用途の他に、ほとんど用途がなく、利用範囲が狭いという欠点がある。
【０００５】
本考案は、このような点に鑑み、ハンカチを、通常の状態で使用できる他、ハンカチを細長く折り畳んだ上で、手首に巻き付けて固定できるようにすることにより、手首に取り付けた、便利な汗拭きとして、また、リストバンド様の装飾物として、使用することのできるハンカチを提供するにある。また、本考案は、手首の太さに合わせて、巻き付けたハンカチの止め位置を調節できるようになっていて、子供から大人まで全ての使用者に適正に装着できる、リストバンドにもなるハンカチを提供するにある。
【課題を解決するための手段】
【０００６】
本考案のハンカチの技術的手段は、ほぼ正方形のハンカチ本体と、凹凸嵌合形式の一対の止め具とからなり、ハンカチ本体の縁辺の１箇所に延出部を形成し、この延出部に、止め具の内の、１個からなる片体を取り付けると共に、止め具の内の、複数個からなる他体を、ハンカチ本体の延出部が形成された部分に、縦方向に並べて取り付け、このハンカチ本体を、延出部の付いた部分が最外層となるように、細長く折り畳んで、これを手首に巻き付け、止め具を互に結合させて固定し、リストバンドとして使用できるようにしたことにある。
【０００７】
また、止め具は、片体を１個とし、他体を３個以上とすることも可能である。
【考案の効果】
【０００８】
本考案のハンカチは、広げた形状が普通のハンカチと変わらないので、通常は適当に折り畳んで、従来と同様に汗拭きなどとしての使用が可能である。また、本考案のハンカチは、手首に巻き付けて、リストバンドとしての利用も可能で、この装着時には外観体裁にも優れていて、使用範囲が広く、実用上、極めて便利である。更に、リストバンド様の汗拭きとしても利用できるので、スポーツ時など、頻繁に汗拭きが必要な時に、都合がよい。
【０００９】
また、本考案のハンカチには、凹凸嵌合形式の止め具が付いているので、リストバンドとして用いる時の装着作業を簡単に行うことができる。更に、止め具は、凹凸嵌合形式であるので、着脱が容易である他、面ファスナーを用いた場合のように、タオル織のパイルとの絡み付きがなく、洗濯などの際にも問題はない。
【００１０】
請求項２のものでは、止め具の一方が、３個以上で、かつ、縦方向に並べて取り付けられているので、結合位置の選択範囲が広く、手首の太さに合わせて、調節して止めることができ、子供から大人まで、どのような使用者にも適正状態で装着できる。
【考案を実施するための最良の形態】
【００１１】
本考案のハンカチを実施するための最良の形態を、図面の実施例に基づいて説明する。図１は、広げた状態のハンカチの表面図である。ハンカチ本体１の生地は自由であるが、通常は、タオル織りされた綿製とするのが適当である。平面形状は、１辺が２０〜２５ｃｍのほぼ正方形で、大きさとしては、やや小さめのミニハンカチである。このハンカチ本体１の縁辺の１箇所には、延出部２が形成されている。この延出部２は、表の面は、ハンカチ本体１の生地を単に延び出させたたけであるが、裏の面には図２に示されるように、補強のために、同じ生地で裏打３されている。
【００１２】
このハンカチをリストバンドとして用いる際には、細長く折り畳む。折り畳み数は、通常は３であり、図１の１０が、折り畳み線である。折り畳む際には、図３に示されるように、延出部２の付いた部分４が最外層となるようにする。また、この部分４には、止め具５が取り付けられている。この止め具５はプラスチック製で、凹凸嵌合形式の一対のものからなる。即ち、止め具の凹体５Ａは１個で、延出部２の先に取り付けられ、他方の凸体５Ｂは複数個、実施例では３個、からなり、部分４の反対側に縦方向に並べて取り付けられている。従って、リストバンドとして手首に巻き付けた時には、手首の太さに応じて、凹体５Ａと嵌合させる凸体５Ｂを、複数個の内から選択でき、太さの調節が可能である。
【００１３】
なお、止め具５の結合形式は、凹凸嵌合形式であれば、その詳細な構造は自由に採択可能である。止め具５の取り付け個数は、片方は１個であるが、他方は複数個、好ましくは３個以上とする。３個程度が、手首の太さに合わせての調節に都合がよい。また、延出部２の形成位置も自由に定めることができる。ハンカチの縁辺の中央部に形成されていても、その部分が最外層となるように折り畳むことができるので問題ない。
【００１４】
本考案は、前記の実施例に限定されるものではなく、実用新案登録請求の範囲の記載の範囲内で自由に変形実施可能である。特に、ハンカチ本体の生地の種類は自由である。また、折り畳み数も、実施例は３であるが、自由である。
【図面の簡単な説明】
【００１５】
【図１】広げた状態のハンカチの表面図。
【図２】広げた状態のハンカチの裏面図。
【図３】折り畳んでリストバンドとして用いる状態を示す側面図。
【符号の説明】
【００１６】
１      ハンカチ本体
２      延出部
３      裏打
４      延出部の付いた部分
５      止め具
５Ａ    止め具の凹体
５Ｂ    止め具の凸体
１０    折り畳み線
【図１】
0003137223.tif 000003
【図２】
0003137223.tif 000004
【図３】
0003137223.tif 000005